(57)【要約】【課題】オーバーキャップをエアゾール缶から取り外す際に、オーバーキャップが押しボタンに接触することを防止したエアゾール装置を提供する。【解決手段】エアゾール缶２の上端部に、外周面の周方向に亘って凹部１１が設けられ、オーバーキャップ１０の下端部に、内周面の周方向に亘って凸部１２が設けられ、凸部１２を凹部１１に嵌合させることにより、オーバーキャップ１０がエアゾール缶２の上部に装着可能とされており、更に、オーバーキャップ１０の内周面に、エアゾール缶２の上端部の外周に設けられた巻締め部１４の内側に進入可能な係合突部１５が設けられ、エアゾール缶２に対してオーバーキャップ１０を片側に傾けながら取り外す際に、係合突部１５が巻締め部１４と係合可能とされている。【選択図】図４
2009057050.tif 000002
【特許請求の範囲】
【請求項１】
内容物が収容されたエアゾール缶と、前記エアゾール缶の上部中央から突出して設けられると共にバネにより上方に付勢された状態で上下方向に移動可能に支持されたステムを前記バネの付勢に抗して押し下げることにより開放されるバルブ機構と、前記ステムの先端部に取り付けられると共に噴射口が設けられた押しボタンと、前記エアゾール缶の上部に着脱自在に被せられるオーバーキャップとを備え、前記オーバーキャップを前記エアゾール缶から取り外し、前記押しボタンを押圧操作することにより前記バルブ機構を開放し、前記押しボタンと一体に押し下げられた前記ステムを通じて噴出される前記エアゾール缶内の内容物を前記押しボタンの噴射口から噴射させるエアゾール装置であって、
前記エアゾール缶の上端部には、外周面の周方向に亘って凹部が設けられ、前記オーバーキャップの下端部には、内周面の周方向に亘って凸部が設けられ、前記凸部を前記凹部に嵌合させることにより、前記オーバーキャップが前記エアゾール缶の上部に装着可能とされており、
更に、前記オーバーキャップの内周面には、前記エアゾール缶の上端部の外周に設けられた巻締め部の内側に進入可能な係合突部が設けられ、前記エアゾール缶に対して前記オーバーキャップを片側に傾けながら取り外す際に、前記係合突部が前記巻締め部と係合可能とされていることを特徴とするエアゾール装置。
【請求項２】
前記係合突部は、前記オーバーキャップの内周面に形成されたリブ壁の下端に設けられていることを特徴とする請求項１に記載のエアゾール装置。
【発明の詳細な説明】
【技術分野】
【０００１】
本発明は、エアゾール缶の上部に着脱自在に被せられるオーバーキャップを備えたエアゾール装置の改良に関する。
【背景技術】
【０００２】
従来より、エアゾール缶に収容された内容物をガスの圧力を利用して霧状や泡状に噴射するエアゾール装置がある（例えば特許文献１を参照。）。具体的に、エアゾール装置は、図５に示すように、内容物が収容されたエアゾール缶１０１と、このエアゾール缶１０１の上部中央から突出して設けられると共にコイルバネ１０２により上方に付勢された状態で上下方向に移動可能に支持されたステム１０３をコイルバネ１０２の付勢に抗して押し下げることにより開放されるバルブ機構１０４と、ステム１０３の先端部に取り付けられると共に噴射ノズル１０５が設けられた押しボタン１０６とを備えている。そして、このエアゾール缶１０１では、押しボタン１０６を押圧操作することによりバルブ機構１０４を開放し、押しボタン１０６と一体に押し下げられたステム１０３を通じて内容物を噴射ノズル１０５の先端から噴射することが可能となっている。
【０００３】
また、このようなエアゾール装置には、不用意に押しボタン１０６が押圧されることがないように、通常はオーバーキャップ１０７がエアゾール缶１０１の上部に着脱自在に被せられている。具体的に、エアゾール缶１０１の上端部には、外周面の周方向に亘って凹部１０８が設けられている。一方、オーバーキャップ１０７の下端部には、内周面の周方向に亘って凸部１０９が設けられている。そして、オーバーキャップ１０７は、凸部１０９を凹部１０８に嵌合させることによって、エアゾール缶１０１の上部に装着することが可能となっている。
【０００４】
ところで、このようなエアゾール装置では、オーバーキャップ１０７をエアゾール缶１０１から取り外す際に、このオーバーキャップ１０７が押しボタン１０６に接触することによって、押しボタン１０６が外れたり、押しボタン１０６と一緒に倒れ込んだステム１０３が変形又は破損したりすることを防ぐ必要がある。特に、エアゾール缶１０１に対してオーバーキャップ１０７を捩りながら取り外す場合よりも、例えば図６に示すように、エアゾール缶１０１に対してオーバーキャップ１０７を片側に傾けながら抉るように取り外す場合において、オーバーキャップ１０７が押しボタン１０６に接触する可能性が高くなる。
【０００５】
また、このようなエアゾール装置では、店頭での不正開封による改竄（かいざん）等を防止するために、薄いプラスチックフィルム（シュリンクフィルム）で全体を被覆することが行われている。したがって、このようなシュリンクフィルムを引き剥がしてからオーバーキャップ１０７を取り外すといった操作を行わずに、シュリンクフィルムで被覆された状態のままオーバーキャップ１０７を強引にエアゾール缶１０１から取り外そうとする場合も考えられる。この場合、シュリンクフィルムを引き剥がさないと、必要以上に強い力でオーバーキャップ１０７をこじ開けることになるため、例えば、強引にこじ開けられたオーバーキャップ１０７が押しボタン１０６に接触し、この押しボタン１０６に強い衝撃が加わると、押しボタン１０６の押圧方向とは異なる方向の外力がステム１０３に加わることによって、ステム１０３が使用不能な状態にまで折れ曲がったり、或いは折れたりすることも考慮しなければならない。
【特許文献１】特開２０００−２１９２８３号公報
【発明の開示】
【発明が解決しようとする課題】
【０００６】
そこで、本発明は、このような従来の事情に鑑みて提案されたものであり、オーバーキャップをエアゾール缶から取り外す際に、このオーバーキャップが押しボタンに接触すること、特に、エアゾール缶に対してオーバーキャップを片側に傾けながら取り外す場合において、オーバーキャップが押しボタンに接触する可能性が高くなることから、このような場合であっても、オーバーキャップが押しボタンに接触することを防ぐことができるエアゾール装置を提供することを目的とする。
【課題を解決するための手段】
【０００７】
この目的を達成するために、請求項１に係る発明は、内容物が収容されたエアゾール缶と、エアゾール缶の上部中央から突出して設けられると共にバネにより上方に付勢された状態で上下方向に移動可能に支持されたステムをバネの付勢に抗して押し下げることにより開放されるバルブ機構と、ステムの先端部に取り付けられると共に噴射口が設けられた押しボタンと、エアゾール缶の上部に着脱自在に被せられるオーバーキャップとを備え、オーバーキャップをエアゾール缶から取り外し、押しボタンを押圧操作することによりバルブ機構を開放し、押しボタンと一体に押し下げられたステムを通じて噴出されるエアゾール缶内の内容物を押しボタンの噴射口から噴射させるエアゾール装置であって、エアゾール缶の上端部に、外周面の周方向に亘って凹部が設けられ、オーバーキャップの下端部に、内周面の周方向に亘って凸部が設けられ、凸部を凹部に嵌合させることにより、オーバーキャップがエアゾール缶の上部に装着可能とされており、更に、オーバーキャップの内周面に、エアゾール缶の上端部の外周に設けられた巻締め部の内側に進入可能な係合突部が設けられ、エアゾール缶に対してオーバーキャップを片側に傾けながら取り外す際に、係合突部が巻締め部と係合可能とされていることを特徴とするエアゾール装置である。
【０００８】
また、請求項２に係る発明は、係合突部が、オーバーキャップの内周面に形成されたリブ壁の下端に設けられていることを特徴とする請求項１に記載のエアゾール装置である。
【発明の効果】
【０００９】
以上のように、本発明に係るエアゾール装置では、エアゾール缶に対してオーバーキャップを片側に傾けながら取り外す際に、巻締め部の内側に進入可能な係合突部が巻締め部と係合されることによって、片側にある凸部と凹部との嵌合部分を支点として、オーバーキャップを押しボタンに接触させることなくエアゾール缶から取り外すことが可能である。
【００１０】
したがって、このエアゾール装置では、エアゾール缶に対してオーバーキャップを片側に傾けながら取り外す場合であっても、オーバーキャップが押しボタンに接触して、押しボタンが外れたり、押しボタンと一緒に倒れ込んだステムが変形又は破損したりすることを防止することが可能である。
【発明を実施するための最良の形態】
【００１１】
以下、本発明を適用したエアゾール装置について、図面を参照して詳細に説明する。
図１は、本発明を適用したエアゾール装置１の構造を示す断面図である。
このエアゾール装置１は、図１に示すように、内容物が収容されたエアゾール缶２と、エアゾール缶２の上部中央から突出して設けられると共にコイルバネ３により上方に付勢された状態で上下方向に移動可能に支持されたステム４をコイルバネ３の付勢に抗して押し下げることにより開放されるバルブ機構５と、ステム４の先端部に取り付けられると共に噴射ノズル６が設けられた押しボタン７とを備えている。
【００１２】
エアゾール缶２は、スチールやアルミニウム等の金属からなる略円筒状の耐圧容器である。このエアゾール缶２に収容される内容物としては、特に限定されるものではなく、例えば、殺虫剤、忌避剤、殺菌剤、芳香剤、室内消臭剤、整髪剤、ヘアケア剤、育毛トニック剤、シェービングフォーム、制汗消臭剤、ガラスクリーナー、エアコン洗浄剤、防水剤、塗料、工業用スプレーなどを挙げることができる。そして、エアゾール缶２には、このような各種目的に応じた有効成分の他に必要に応じて溶剤や補助剤などを含む原液と、液体ガスや圧縮ガスなどの噴射剤とが内容物として充填されている。
【００１３】
バルブ機構５は、エアゾール缶２の上部中央から缶内に垂下されたシリンダ８を有している。ステム４は、その下端部に設けられた弁体５ａをシリンダ８内に挿入している。コイルバネ３は、シリンダ８内の弁体５ａの下方に圧縮された状態で配置されている。これにより、ステム４は、上方に付勢された状態で上下方向に移動可能となっている。なお、ステム４が上端部に位置するとき、このバルブ機構５は閉塞された状態となっている。また、シリンダ８の下端部からは、エアゾール缶２に収容された内容物を吸い込むチューブ９がエアゾール缶２のほぼ底面部まで垂下されている。
【００１４】
押しボタン７は、プラスチック材料からなり、この押しボタン７の下面中央には、ステム４と嵌合される嵌合部（図示せず。）が設けられている。また、押しボタン７には、嵌合部と連通されて、ステム４から噴出された内容物を噴射ノズル６へと導く流路（図示せず。）が設けられている。噴射ノズル６は、押しボタン７の側面から前方に突出して設けられており、押しボタン７の流路を通じて圧送された内容物を先端の噴射口６ａから霧状又は泡状にして噴射する。
【００１５】
このエアゾール装置１には、図１及び図２に示すように、不用意に押しボタン７が押圧されることがないように、オーバーキャップ１０がエアゾール缶２の上部に着脱自在に被せられている。具体的に、エアゾール缶２の上端部には、外周面の周方向に亘って凹部１１が設けられている。一方、オーバーキャップ１０の下端部には、内周面の周方向に亘って凸部１２が設けられている。そして、オーバーキャップ１０は、凸部１２を凹部１１に嵌合させることによって、エアゾール缶２の上部に装着することが可能となっている。
【００１６】
オーバーキャップ１０は、例えば天面が閉塞された略円筒状の透明又は半透明なプラスチック材料からなる。また、オーバーキャップ１０は、上述した噴射ノズル６が設けられた押しボタン７を収納するのに必要な空間を確保するため、その外径がエアゾール缶２とほぼ同径となっている。すなわち、このエアゾール装置１では、エアゾール缶２にオーバーキャップ１０を被せた状態において、エアゾール缶２の外周面とオーバーキャップ１０の外周面とが略々面一となっている。
【００１７】
また、オーバーキャップ１０の内周面には、内側に向かって突出し且つ上下方向に延びる補強用のリブ壁１３が周方向に一定間隔で複数並んで設けられている。具体的に、リブ壁１３は、オーバーキャップ１０の内周面に等間隔に８つ並んで設けられている。なお、リブ壁１３の数については、必ずしも限定されるものではないものの、少なくとも３つ以上設けることが好ましく、より好ましくは６つ以上である。そして、これらリブ壁１３の下端には、エアゾール缶２の上端部の外周に設けられた巻締め部１４の内側に進入可能な係合突部１５が設けられている。
【００１８】
以上のような構造を有するエアゾール装置１では、オーバーキャップ１０をエアゾール缶２の上部から取り外した後に、ステム４の先端に取り付けられた押しボタン７を下方に向かって押圧操作する。これにより、バルブ機構５を開放し、押しボタン７と一体に押し下げられたステム４を通じて噴出されたエアゾール缶２内の内容物を噴射ノズル６の噴射口６ａから噴射させることが可能となっている。
【００１９】
ところで、本発明を適用したエアゾール装置１では、図３及び図４に示すように、エアゾール缶２に対してオーバーキャップ１０を片側に傾けながら取り外す際に、上述した巻締め部１４の内側に進入可能な係合突部１５が巻締め部１４と係合されることによって、片側にある凸部１２と凹部１１との嵌合部分を支点として、オーバーキャップ１０を押しボタン７と接触させることなくエアゾール缶２から取り外すことができる。
【００２０】
一方、上述した図５に示す従来のエアゾール装置では、エアゾール缶１０１に対してオーバーキャップ１０７を片側に傾けながら取り外す場合に、本発明のような係合突部１５が無いと、図６に示すように、片側にある凸部１０９と凹部１０８との嵌合が外れてしまい、オーバーキャップ１０７の回動の支点が凸部１０９と凹部１０８との嵌合部分よりも下方にずれることによって、オーバーキャップ１０７の内側に押しボタン１０６が入り込んだ状態となる。このため、オーバーキャップ１０７を取り外す際に、オーバーキャップ１０７が押しボタン１０６に接触する可能性が高くなる。
【００２１】
これに対して、本発明を適用したエアゾール装置１では、上述した巻締め部１４と係合される係合突部１５を設けることによって、図３及び図４に示すように、オーバーキャップ１０７の回動の支点が凸部１２と凹部１１との嵌合部分となる。このため、オーバーキャップ１０７の内側に押しボタン１０６が入り込まず、オーバーキャップ１０を押しボタン７と接触させることなくエアゾール缶２から取り外すことができる。
【００２２】
以上のように、本発明を適用したエアゾール装置１では、エアゾール缶２に対してオーバーキャップ１０を片側に傾けながら取り外す場合であっても、オーバーキャップ１０が押しボタン７に接触して、押しボタン７が外れたり、押しボタン７と一緒に倒れ込んだステム４が変形又は破損したりすることを防止することが可能である。特に、ステム４は、ナイロンからなるものよりも、ＰＯＭ（ポリオキシメチレン）からなるものの方が折れ易く、内容物との適性によってはＰＯＭからなるステム４しか使用できない場合もある。このため、本発明は、このようなＰＯＭからなるステム４を用いる場合において非常に有効である。
【００２３】
なお、本発明を適用したエアゾール装置１は、上記実施形態のものに必ずしも限定されるものではなく、本発明の趣旨を逸脱しない範囲において種々の変更を加えることが可能である。
例えば、上記係合突部１５は、上記８つのリブ壁１３の下端の全てに設けられた構成に限らず、少なくとも３箇所以上のリブ壁１３の下端に設けた構成とすればよく、より好ましくは６箇所以上である。これにより、エアゾール缶２に対してオーバーキャップ１０を片側に傾ける位置に関わらず、リブ壁１３の下端に設けられた何れかの係合突部１５を巻締め部１４に係合させることが可能である。また、上記係合突部１５は、上記リブ壁１３の下端に設けられた構成に限らず、オーバーキャップ１０の内周面において、巻締め部１４の内側に進入可能な位置に設けられ、なお且つ、エアゾール缶２に対してオーバーキャップ１０を片側に傾けながら取り外す際に、巻締め部１４と係合可能とされたものであればよい。さらに、上記係合突部１５は、巻締め部１４に確実に係合されるように、オーバーキャップ１０の周方向に等間隔に並べて配置することが好ましい。
【図面の簡単な説明】
【００２４】
【図１】図１は、本発明を適用したエアゾール装置の構造を示す断面図である。
【図２】図２は、図１に示すエアゾール装置が備えるオーバーキャップを示す断面図である。
【図３】図３は、図１に示すエアゾール装置のエアゾール缶に対してオーバーキャップを片側に傾けながら取り外す状態を示す斜視図である。
【図４】図４は、図１に示すエアゾール装置のエアゾール缶に対してオーバーキャップを片側に傾けながら取り外す状態を示す断面図である。
【図５】図５は、従来のエアゾール装置の構造を示す断面図である。
【図６】図６は、図５に示すエアゾール装置のエアゾール缶に対してオーバーキャップを片側に傾けながら取り外す状態を示す斜視図である。
【符号の説明】
【００２５】
１…エアゾール缶  ２…エアゾール缶  ３…コイルバネ  ４…ステム  ５…バルブ機構  ６…噴射ノズル  ７…押しボタン  １０…オーバーキャップ  １１…凹部  １２…凸部  １３…リブ壁  １４…巻締め部  １５…係合突部
【図１】
2009057050.tif 000003
【図２】
2009057050.tif 000004
【図３】
2009057050.tif 000005
【図４】
2009057050.tif 000006
【図５】
2009057050.tif 000007
【図６】
2009057050.tif 000008